(57)【特許請求の範囲】
【請求項１】
住人が毎日の生活において必ず使用する住宅の所定場所に設置されて当該所定場所の住人を検知する第１のセンサと、住人の住宅への出入口に設置されて当該出入口の住人を検知する第２のセンサと、これらのセンサが接続されると共にタイマを有して、在宅時の住人を監視する警戒モードと住人の監視を無効とする解除モードに設定可能なコントローラと、を備え、
前記コントローラは、前記警戒モード時で前記第２のセンサが動作した場合に、前記タイマで予め設定した時間解除準備モードに設定され、該解除準備モードの時間経過後に前記解除モードに設定されると共に、前記解除準備モードは、前記タイマのカウントアップ中に、前記第１のセンサが動作した場合もしくは住人により前記コントローラが操作された場合に解除されて警戒モードに設定され、
かつ、前記コントローラは、前記解除準備モードに設定されたときに、当該解除準備モードであることを住人に音声及びまたは表示により報知可能であり、当該報知は、予め設定した時間毎に定期的に行われるかもしくは前記解除準備モードのタイムアップの所定時間前に行われることを特徴とする緊急通報装置。
【発明の詳細な説明】
【技術分野】
【０００１】
本発明は、老人等の一人暮らしの家庭に設置されて、老人等に体調不良等の緊急事態が発生した場合に、運営会社等に緊急通報を行うことが可能な緊急通報装置に関する。
【背景技術】
【０００２】
従来、この種の緊急通報装置としては、老人等の住人が生活する上で毎日必ず使用する場所（トイレ等）に設置されたセンサと、このセンサが接続されたコントローラを有し、センサが予め設定した一定時間反応しない場合に、コントローラが住人のライフリズムが異常（緊急事態）であると判定して、緊急通報装置を管理する運営会社に緊急通報を自動的に行うものが知られている。なお、緊急通報装置に関する公報としては、例えば特許文献１がある。
【先行技術文献】
【特許文献】
【０００３】
【特許文献１】特開２００２−２４９６７号公報
【発明の概要】
【発明が解決しようとする課題】
【０００４】
しかしながら、このような緊急通報装置にあっては、センサとコントローラを一台で構成できて安価に形成できるものの、住人の就寝時間を考慮してセンサの無反応時間を１２〜２４時間と長く設定する必要があることから、住人が外出した場合に、コントローラを住人を監視する警戒モードから監視を無効とする解除モードに切り替え設定するのを忘れてしまい、住人の外出中に緊急通報が発せられてしまうことがある。そこで、このような誤報を防止するために、コントローラにタイマ機能を持たせ、就寝時間中はタイマを停止させ、また外出時には、コントローラを解除モードにしてタイマを停止させることで、装置の信頼性をあげつつセンサの無反応時間を例えば１２時間以下と短くする方法が考えられている。
【０００５】
しかし、この方法でも、就寝時間の時間管理等はタイマにより自動的に行うことができるものの、外出する際の解除モード（外出モード）への設定は、住人がコントローラを自ら操作する必要があることから、該モードへの設定操作を忘れたり、また解除モードに設定した場合でも、外出先から帰宅した際に解除モードを警戒モードに切り替え操作するのを忘れる場合があり、結果として、装置が誤動作して正常に動作できなくなる等、装置の信頼性を十分に高めることが難しい。
【０００６】
本発明は、このような事情に鑑みてなされたもので、その目的は、簡易な構成で外出時等の誤動作を軽減することができて、ライフリズムの設定時間を短くし、装置の信頼性を十分に高め得る緊急通報装置を提供することにある。
【課題を解決するための手段】
【０００７】
かかる目的を達成すべく、本発明は、住人が毎日の生活において必ず使用する住宅の所定場所に設置されて当該所定場所の住人を検知する第１のセンサと、住人の住宅への出入口に設置されて当該出入口の住人を検知する第２のセンサと、これらのセンサが接続されると共にタイマを有して、在宅時の住人を監視する警戒モードと住人の監視を無効とする解除モードに設定可能なコントローラと、を備え、前記コントローラは、前記警戒モード時で前記第２のセンサが動作した場合に、前記タイマで予め設定した時間解除準備モードに設定され、該解除準備モードの時間経過後に前記解除モードに設定されると共に、前記解除準備モードは、前記タイマのカウントアップ中に、前記第１のセンサが動作した場合もしくは住人により前記コントローラが操作された場合に解除されて前記警戒モードに設定され、かつ、前記コントローラは、前記解除準備モードに設定されたときに、当該解除準備モードであることを住人に音声及びまたは表示により報知可能であり、当該報知は、予め設定した時間毎に定期的に行われるかもしくは前記解除準備モードのタイムアップの所定時間前に行われることを特徴とする。
【発明の効果】
【０００９】
本発明によれば、コントローラが出入口に設置され当該出入口の住人を検知する第２のセンサが動作した場合に、タイマで予め設定した時間解除準備モードに自動的に設定され、この解除準備モードの時間経過後に解除モードに設定されるため、住人がコントローラの解除モードへの設定操作を忘れて外出しようとした場合に、第２のセンサの動作で一旦解除準備モードとなった後に自動的に解除モードに設定され、外出中にも係わらずコントローラが警戒モードとなることを確実に防止することができる。
【００１０】
また、住人が在宅する警戒モードの場合で、例えば住人が新聞を取りに行ったり来客が来た場合等で第２のセンサが動作しても、コントローラが解除モードに直ちに移行することがなくなると共に、解除準備モードがその時間経過中に解除可能であることから、在宅時の解除モードへの誤設定を防止することができて、コントローラのライフリズムの設定時間を短くできる等、解除モード時及び警戒モード時の装置の信頼性を十分に高めることができる。
【００１１】
さらに、解除準備モードが、前記第１のセンサが動作した場合、もしくは住人により前記コントローラが操作された場合に解除されるため、例えば住人が新聞を取りに行くことで解除準備モードに設定されても、トイレ等を使用して第１のセンサが動作することで解除準備モードが自動的に解除され、また、来客が来ることで解除準備モードに設定されても、コントローラを解除操作することで解除準備モードが自動的に解除され、在宅時の解除準備モードの解除を確実に行って、装置の信頼性を一層高めることができる。
【００１２】
また、コントローラが解除準備モードに設定された際に、当該モードであることを住人に音声及びまたは表示により報知可能であるため、解除準備モードに設定された際に、コントローラが当該モードであることを音声や表示により住人に確実に報知できて、在宅時の解除モードへの誤設定を防止することができる。
【００１３】
さらにまた、報知が予め設定した時間毎に定期的もしくは解除準備モードのタイムアップの所定時間前に行われるため、解除モードであることを住人に確実に報知できて、在宅時の解除モードへの誤設定を一層確実に防止することができる。
【図面の簡単な説明】
【００１４】
【図１】本発明に係わる緊急通報装置の一実施形態を示す正面図
【図２】同その平面図
【図３】同底面図
【図４】同制御系のブロック図
【図５】同動作の一例を示すフローチャート
【図６】同その説明図
【図７】同他の動作を示すフローチャート
【図８】同さらに他の動作を示すフローチャート
【発明を実施するための形態】
【００１５】
以下、本発明の実施の形態を図面に基づいて詳細に説明する。
図１〜図６は、本発明に係わる緊急通報装置の一実施形態を示している。図１〜図３に示すように、緊急通報装置１は、正面視略正方形状で所定の高さ寸法（奥行き寸法）の薄型箱形状のケースを有するコントローラ２と、後述するライフリズムセンサ１７（第１のセンサ）及び出入口センサ１８（第２のセンサ）を備えている。コントローラ２の表面側には、緊急時に使用する緊急スイッチ３、相談時に使用する相談スイッチ４、外出時や就寝時に使用する解除スイッチ５、後述する解除準備モードを取り消す解除準備モード停止スイッチ６等の各種スイッチが配置されると共に、マイク７と、報知手段としてのスピーカ８及び表示器９と、後述する操作部１９等が配置されている。なお、コントローラ２の表面側のレイアウトは、使用する部品等に応じて適宜に変更可能である。
【００１６】
また、前記コントローラ２の内部には、後述する制御装置１０が配置されると共に、コントローラ２の底面側から制御装置１０に接続され先端にプラグ１１ａを有する電源コード１１が引き出されている。また、コントローラ２の例えば底面には、後述する電話網２１に接続可能な図示しない回線接続部が設けられている。そして、この緊急通報装置１は、取付面となるコントローラ２の裏面が、図示しない取付金具を介して後述する居間３１（図６参照）の壁面に取り付けることで設置されたり、あるいは図示しない取付用ポールをコントローラ２の裏面上部に取り付けることで、居間３１のテーブル等の上に傾斜状態で設置されるようになっている。
【００１７】
前記コントローラ２の制御装置１０は、図４に示すように構成されている。すなわち、制御装置１０は、ＣＰＵ１４とタイマ１５等で構成された制御部１６を有している。この制御部１６のタイマ１５は、後述するように解除モードから警戒モードへの自動設定時に使用される警戒モード移行タイマ１５ａと、ライフリズム異常検知時に使用されるライフリズムタイマ１５ｂと、解除準備モード時に使用される解除準備タイマ１５ｃ等で構成されている。そして、前記制御部１６の入力側には、ライフリズムセンサ１７と、後述する如く解除準備モード時に使用される出入口センサ１８が接続されると共に、前記解除スイッチ５、解除準備モード停止スイッチ６及び前記各種スイッチを含む操作部１９が接続されている。
【００１８】
また、制御部１６の出力側には、前記スピーカ８と表示器９及び各種リレー２０が接続されると共に、制御部１６には、前記電話網２１に接続可能な電話回線２２と記憶部２３及び無線入出力部２４が接続されている。そして、電話回線２２及び電話網２１を介して、例えば緊急通報が運営会社等に通報されるようになっている。また、前記無線入出力部２４には、無線により前記センサ１７、１８等が接続可能となっている。なお、制御部１６には、当該制御部１６等に電源を供給する電源入力部２５が接続されている。
【００１９】
次に、このように構成された前記緊急通報装置１の動作の一例を図５のフローチャートに基づいて説明する。なお、このフローチャートは、前記記憶部２３に記憶されたプログラムにしたがって自動的に実行される。先ず、前記コントローラ２は、図６に示すように、住宅３０の居間３１の壁面等の所定位置に設置され、前記ライフリズムセンサ１７は住人Ｍが在宅中に毎日必ず使用するトイレ３２の天井等の所定位置に設置され、その検知信号がコントローラ２に有線もしくは無線で入力されるようになっている。また、出入口センサ１８は、玄関３３の天井や壁面等の所定位置に設置され、前記ライフリズムセンサ１７と同様、その検知信号がコントローラ２に入力されるようになっている。
【００２０】
前記コントローラ２や各種センサ１７、１８が住宅３０の所定位置に設置された状態で、コントローラ２の電源コード１１が住宅３０の電源コンセントに差し込まれて、コントローラ２の前記操作部１９で各種の設定操作が行われると、プログラムが開始される。このプログラムは、図５に示すように、先ず、コントローラ２が「警戒モード」か否かが判断（Ｓ１００）される。この「警戒モード」とは、在宅している住人Ｍの動作が監視されているモードである。この判断Ｓ１００で「ＹＥＳ」でコントローラ２が「警戒モード」の場合は、出入口センサ１８が住人Ｍを検知したか否かが判断（Ｓ１０１）される。そして、この判断Ｓ１０１で「ＮＯ」の場合、すなわち警戒モードで出入口センサ１８が住人Ｍを検知しない場合は、解除準備モードか否かが判断（Ｓ１０２）される。
【００２１】
この判断Ｓ１０２で「ＹＥＳ」の場合は、前記制御部１６の解除準備タイマ１５ｃがカウントアップ（Ｓ１０３）し、判断Ｓ１０２で「ＮＯ」の場合、すなわちコントローラ２が警戒モードで解除準備モードでない場合は、判断Ｓ１００に戻る。ステップＳ１０３で解除準備タイマ１５ｃのカウントアップが実行されると、解除準備モード停止スイッチ６がオンか否かが判断（Ｓ１０４）される。この判断Ｓ１０４で「ＮＯ」の場合、すなわち、解除準備モード停止スイッチ６がオフの場合は、解除準備タイマ１５ｃがタイムアップか否かが判断（Ｓ１０５）され、また、判断Ｓ１０４で「ＹＥＳ」の場合、すなわち、解除準備停止スイッチ６が住人Ｍによりオン操作された場合は、後述する警戒モード（Ｓ１１３）に移行する。
【００２２】
また、前記判断Ｓ１０５で「ＹＥＳ」の場合、すなわち、出入口センサ１８がオンして解除準備モードがスタートした後に、解除準備モード停止スイッチ６がオフで解除準備タイマ１５ｃがタイムアップされた場合は、解除モード（Ｓ１０６）に設定されて、解除中メッセージが報知（Ｓ１０７）され、その後に判断Ｓ１００に戻る。また、判断Ｓ１０５で「ＮＯ」の場合、すなわち解除準備タイマ１５ｃがタイムアップされていない場合は、解除準備中メッセージが報知（Ｓ１０９）されて、その後に判断Ｓ１００に戻る。
【００２３】
なお、ステップＳ１０７における解除中メッセージの報知は、例えば５分等の一定時間毎に定期的に行われ、前記スピーカ８から所定の音声で報知したり、前記表示器９による表示で実行される。この解除中メッセージの報知により、コントローラ２が解除中であることを住人Ｍが聴覚や視覚を介して認識することになる。また、ステップＳ１０９における解除準備中メッセージの報知は、例えば１分等の一定時間毎に定期的に行われるか、あるいは解除準備タイマ１５ｃのタイムアップの所定時間前に行われ、前記スピーカ８や表示器９により前記解除中メッセージとは異なる形態で実行される。この解除準備中メッセージにより、コントローラ２が解除準備中であることを住人Ｍが聴覚や視覚を介して認識することになる。
【００２４】
一方、前記判断Ｓ１０１で「ＹＥＳ」の場合、すなわち警戒モードで出入口センサ１８が動作してオンになった場合は、解除準備モードがスタート（Ｓ１０８）し、解除準備タイマ１５ｃがリセット等されて、ステップＳ１００に戻る。
【００２５】
つまり、Ｓ１０１〜Ｓ１０９のフローチャートにおいては、住人Ｍが在宅しコントローラ２が警戒モードに設定されている状態で、出入口センサ１８が住人Ｍを検知すると、解除準備モードがスタートして、この解除準備モード中で予め設定されている解除準備時間が経過すると、解除モードに自動的に移行する。そして、解除準備モードがスタートすると、解除中のメッセージが報知されると共に、解除準備タイマ１５ｃの動作中には、解除準備中であることが報知されることなる。
【００２６】
したがって、住人Ｍが警戒モードである在宅中に新聞を取るために、図６の二点鎖線で示すように、居間３１から出入口である玄関３３に移動すると、玄関３３に設置されている出入口センサ１８が住人Ｍを検知し、解除準備モードがスタートし、解除中であることがメッセージとして報知される。この報知を住人Ｍが認識し警戒モードを継続する場合は、コントローラ２の解除準備モード停止スイッチ６を操作して警戒モードに戻することで行われる。なお、前記解除準備時間の例を上げると、警戒モード移行タイマ１５ａの設定時間を例えば４時間と仮定すると、解除準備モードの時間、すなわち解除準備タイマ１５ｃの設定時間は前述した５分程度と十分に短くすることが好ましい。
【００２７】
以上が警戒モード時の動作であるが、次に解除モード時の動作について説明する。この「解除モード」とは、住人Ｍが就寝したり外出する際等に使用され、住人Ｍがコントローラ２の前記解除スイッチ５を操作することで、ライフリズムセンサ１７による検知機能を無効にするモードである。この解除モードの場合は、前記判断Ｓ１００で「ＮＯ」となり、警戒モード移行タイマ１５ａがカウントアップ（Ｓ１１０）し、ライフリズムセンサ１７が住人Ｍを検知したか否かが判断（Ｓ１１１）される。この判断Ｓ１１１で「ＹＥＳ」の場合、すなわち解除モード中に、ライフリズムセンサ１７が住人Ｍを検知した場合は、警戒モード移行タイマ１５ａがタイムアップか否かが判断（Ｓ１１２）される。この判断Ｓ１１２で「ＹＥＳ」の場合、すなわち警戒モード移行タイマ１５ａが予め設定した時間（例えば３０分）経過した場合は、警戒モード（Ｓ１１３）に設定されて判断Ｓ１００に戻る。
【００２８】
また、前記判断Ｓ１１１で「ＮＯ」でライフリズムセンサ１７が住人Ｍを検知しない場合や、前記判断Ｓ１１２で「ＮＯ」で警戒モード移行タイマ１５ａがタイムアップしていない場合は、いずれも判断Ｓ１００に戻る。つまり、解除モードの場合は、警戒モード移行タイマ１５ａのカウント中にライフリズムセンサ１７が住人Ｍを検知しても、直ちに警戒モードに移行することはなく、ライフリズムセンサ１７が住人Ｍを検知してから警戒モード移行タイマ１５ａの設定時間が経過した時点で警戒モードに自動的に移行することになる。これにより、住人Ｍが解除操作を行って就寝したり外出先から帰宅した時に、警戒モードへの設定操作を忘れても、警戒モード移行タイマ１５ａの時間が経過した後に自動的に警戒モードに設定されることになり、解除モードのままで就寝したり、あるいは帰宅して在宅しているにも係わらず長時間解除モード中になることが確実に防止されることになる。
【００２９】
なお、以上のフローチャートは一例であって、例えば前記ステップＳ１０９を省略して、ステップＳ１０７で「解除中」のメッセージのみを報知したり、ステップＳ１０７を省略して、ステップＳ１０９で「解除準備中」のメッセージのみを報知するようにしても良い。また、前記ステップＳ１０７の「解除中」メッセージをステップＳ１００の直前で行うようにしたり、前記ステップＳ１０９の「解除準備中」メッセージも、適宜の位置で実行するようにしても良い。
【００３０】
また、前記フローチャートにおいては、解除準備タイマ１５ｃのカウント中に、解除準備モード停止スイッチ６が操作された場合に、解除準備モードが停止して警戒モードに戻るようにしたが、例えば図７に示すように、前記判断Ｓ１０４における判断として、ライフリズムセンサ１７が住人Ｍを検知したか否かを判断し、この判断で「ＹＥＳ」の場合、すなわち、住人Ｍが新聞を取りに行って解除準備モードがスタートした後に、トイレ３２に入ってこれをライフリズムセンサ１７が検知した場合に、解除準備モードを停止させて警戒モード（Ｓ１１３）戻るようにしても良い。
【００３１】
また、図８に示すように、出入口センサ１８の検知信号を使用して解除準備モードを停止させることもできる。すなわち、前記判断Ｓ１０１で「ＹＥＳ」の場合にも、解除準備モードか否かを判断（Ｓ３０１）し、この判断Ｓ３０１で「ＮＯ」の場合、すなわち出入口センサ１８が最初にオンした場合は、前記ステップＳ１０８に移行して解除準備モードをスタートさせる。一方、判断Ｓ３０１で「ＹＥＳ」の場合、すなわち出入口センサ１８が解除準備モード中に再び住人を検知した場合は、前記ステップＳ１１３に移行して警戒モードに戻る。このように、解除準備モードのタイムアップ前の解除方法としては、適宜の方法を採用できるし、前記フローチャートも、同等の動作・作用が得られる適宜のフローチャートを採用することができる。
【００３２】
以上詳述したように、前記実施形態の緊急通報装置１によれば、ライフリズムセンサ１７と出入口センサ１８が接続されるコントローラ２が、出入口センサ１８が住人を検知して動作した場合に、解除準備タイマ１５ｃで予め設定した時間解除準備モードに自動的に設定され、この解除準備モードの時間経過後に解除モードに設定されるため、住人Ｍがコントローラ２の解除モードへの設定操作を忘れて外出しようとした場合に、出入口センサ１８の動作で一旦解除準備モードとなった後に自動的に解除モードに設定され、外出中にも係わらずコントローラ２が警戒モードとなることを確実に防止することができる。
【００３３】
また、住人Ｍが在宅する警戒モードの場合で、例えば住人Ｍが新聞を取りに行ったり来客が来た場合等に出入口センサ１８が動作しても、コントローラ２が解除モードに直ちに移行することがなくなると共に、解除準備モードがその時間経過中に解除可能であることから、在宅時の解除モードへの誤設定を防止することができて、コントローラ２のライフリズムタイマ１５ｂの設定時間を短くできる等、解除モード時及び警戒モード時の緊急通報装置１の信頼性を十分に高めることができる。
【００３４】
特に、解除準備モードが、ライフリズムセンサ１７が動作した場合、あるいは住人Ｍによりコントローラ２の解除準備モード停止スイッチ６が操作された場合等に解除可能であるため、例えば住人Ｍが新聞を取りに行ったり来客が来ることで解除準備モードがスタートしても、トイレ３２等を使用してライフリズムセンサ１７が動作したり、報知に基づき住人Ｍがコントローラ２を解除準備モード停止スイッチ６を操作をすること等で解除準備モードを自動的に解除でき、在宅時の解除準備モードの解除を確実に行って、緊急通報装置１の信頼性を一層高めることができる。
【００３５】
また、コントローラ２が解除準備モードに設定された際に、当該モードであることを住人にスピーカ８による音声や表示器９による表示により報知可能であるため、解除準備モードに設定された際に、コントローラ２が当該モードであることを住人に確実に報知できて、在宅時の解除モードへの誤設定を防止することができる。
【００３６】
さらに、報知が予め設定された時間定期的もしくは解除準備モードのタイムアップの所定時間前に行われるため、解除モードであることを住人Ｍに一層確実に報知できて、在宅時の解除モードへの誤設定をより確実に防止することができる。また、出入口センサ１８を玄関３３等に設置することで対応できるため、緊急通報装置１の信頼性を十分に高めつつ該通報装置１のコストアップを極力抑えて安価に形成することができる。
【００３７】
また、前記緊急通報装置１の場合、警戒モード移行タイマ１５ａを有するため、次のような作用効果を得ることができる。すなわち、コントローラ２で解除モードの操作を行った際に、ライフリズムセンサ１７が住人Ｍを検知しても警戒モード移行タイマ１５ａで予め設定された時間が経過するまで警戒モードに移行しないため、起床時や外出先からの帰宅時に住人Ｍがコントローラ２を一々操作しなくても、警戒モード移行タイマ１５ａで設定された時間が経過することで解除モードを自動的に警戒モードに設定できて、緊急通報装置１の信頼性をより一層高めることができ、使い勝手と信頼性に優れた緊急通報装置１を提供することが可能になる。
【００３８】
なお、前記実施形態における、各タイマ１５ａ〜１５ｃの具体的時間、ライフリズムセンサ１７や出入口センサ１８の住宅３０への設置場所、制御装置１０のブロック構成、コントローラ２の外形形状や各部品の配置形態、報知手段の構成、タイマ１５の形態等は一例であって、例えば解除スイッチ５と解除準備モード停止スイッチ６を兼用する構成としたり、各種スイッチや操作部をタッチパネル式としたり、３つのタイマのうち所定のタイマを兼用する構成とする等、本発明に係わる各発明の要旨を逸脱しない範囲において適宜に変更することができる。
【産業上の利用可能性】
【００３９】
本発明は、一人暮らしの一般住宅に限らず、例えば一人暮らしの多いマンション等の集合住宅にも適用できるし、一人暮らしに限らず夫婦二人で暮らす各種住宅等の緊急通報装置にも利用できる。
【符号の説明】
【００４０】
１・・・・・・・緊急通報装置
２・・・・・・・コントローラ
５・・・・・・・解除スイッチ
６・・・・・・・解除準備モード停止スイッチ
８・・・・・・・スピーカ
９・・・・・・・表示器
１０・・・・・・制御装置
１４・・・・・・ＣＰＵ
１５・・・・・・タイマ
１５ａ・・・・・警戒モード移行タイマ
１５ｂ・・・・・ライフリズムタイマ
１５ｃ・・・・・解除準備タイマ
１６・・・・・・制御部
１７・・・・・・ライフリズムセンサ
１８・・・・・・出入口センサ
１９・・・・・・操作部
２１・・・・・・電話網
２２・・・・・・電話回線
３０・・・・・・住宅
３１・・・・・・居間
３２・・・・・・トイレ
３３・・・・・・玄関
Ｍ・・・・・・・住人
【図１】
0005706810.tif 000002
【図２】
0005706810.tif 000003
【図３】
0005706810.tif 000004
【図４】
0005706810.tif 000005
【図５】
0005706810.tif 000006
【図６】
0005706810.tif 000007
【図７】
0005706810.tif 000008
【図８】
0005706810.tif 000009